(57)【要約】【課題】  サッシの溝やレール等に付着した汚れを簡単かつ確実に落とすことができるサッシ用クリーナーを得る。【解決手段】  ハンドルを兼ねる払拭体ホルダー１と、互いに重なり合いかつ弾力的に開閉自在の複数の払拭体２とで形成され、払拭体２は、弾性変形可能な補強用心材１６の回りを柔軟な布部材１７で覆った構造をしていて、互いの重合面及び非重合面をそれぞれ払拭作業面２ａ，２ｂ，２ｃとし、相互間にサッシ５のレール６部分を挟持可能であると共に、相互に重合した状態でサッシ５の溝７内に挿入可能な厚さを有している。【選択図】        図１
2005074111.tif 000002
【特許請求の範囲】
【請求項１】
ハンドルを兼ねる払拭体ホルダーと、このホルダーに保持されて該ホルダーから前方に向けて延出し、互いに重なり合いかつ弾力的に開閉自在の複数の払拭体とからなり、
上記払拭体は、弾性変形可能な補強用心材の回りを柔軟な布部材で覆った構造をしていて、互いの重合面及び非重合面をそれぞれ払拭作業面とし、相互間にサッシのレール部分を挟持可能であると共に、相互に重合した状態でサッシの溝内に挿入可能な厚さを有し、上記重合面及び非重合面からなる払拭作業面を使い分けることによって上記サッシのレール部分と溝部分とを清掃可能であることを特徴とするサッシ用クリーナー。
【請求項２】
上記払拭体の心材が横に細長い合成樹脂製のプレートからなると共に、上記布部材が該心材より厚さの厚い不織布製のシートからなっていて、２つに折り曲げた該布部材の間に上記心材を介在させることによって上記払拭体が形成されており、
また、上記ホルダーは、手で握るためのハンドル部と、上記払拭体を挟持するための挟持部とを有していて、開閉自在の一対のホルダー部片により形成され、互いに重合する２つの払拭体の基端部が上記ホルダーの挟持部によって挟持されると共に、払拭体の先端部が該挟持部から前方に延出していることを特徴とする請求項１に記載のクリーナー。
【請求項３】
上記ホルダーの挟持部に少なくとも１つの突起を設け、この突起を上記払拭体に係止させることによって該払拭体がホルダーに固定されていることを特徴とする請求項１又は２に記載のクリーナー。
【発明の詳細な説明】
【技術分野】
【０００１】
本発明は、建物の窓や出入り口等に設けられているサッシの溝部分やレール部分等を清掃するためのサッシ用クリーナーに関するものである。
【背景技術】
【０００２】
建物の窓や出入り口等に設けられているサッシの溝部分やレール部分等を清掃する場合に、従来では、サッシブラシや雑巾などが一般に使用されていた。ところが、前者のサッシブラシは、サッシの溝内にあるゴミや埃等は掃き取ることができるが、溝底やレールにこびり付いた汚れまでも除去することは困難である。また、後者の雑巾の場合は、それを指先でサッシの溝内に押し込んで擦るようにすれば、こびり付いた汚れを除去することは可能であるが、指がサッシに直接触れて怪我をし易いという欠点がある。
【発明の開示】
【発明が解決しようとする課題】
【０００３】
本発明の課題は、サッシの溝やレール等に付着した汚れを簡単かつ確実に落とすことができるサッシ用クリーナーを提供することにある。
【課題を解決するための手段】
【０００４】
上記課題を解決するため、本発明によれば、ハンドルを兼ねる払拭体ホルダーと、このホルダーに保持されて該ホルダーから前方に向けて延出し、互いに重なり合いかつ弾力的に開閉自在の複数の払拭体とからなり、上記払拭体は、弾性変形可能な補強用心材の回りを柔軟な布部材で覆った構造をしていて、互いの重合面及び非重合面をそれぞれ払拭作業面とし、相互間にサッシのレール部分を挟持可能であると共に、相互に重合した状態でサッシの溝内に挿入可能な厚さを有し、上記重合面及び非重合面からなる払拭作業面を使い分けることによって上記サッシのレール部分と溝部分とを清掃可能であることを特徴とするサッシ用クリーナーが提供される。
【０００５】
また、本発明によれば、上記払拭体の心材が横に細長い合成樹脂製のプレートからなると共に、上記布部材が該心材より厚さの厚い不織布製のシートからなっていて、２つに折り曲げた該布部材の間に上記心材を介在させることによって上記払拭体が形成されており、また、上記ホルダーは、手で握るためのハンドル部と、上記払拭体を挟持するための挟持部とを有していて、開閉自在の一対のホルダー部片により形成され、互いに重合する２つの払拭体の基端部が上記ホルダーの挟持部に挟持されると共に、払拭体の先端部が該挟持部から前方に延出している。
【０００６】
更に、本発明においては、上記ホルダーの挟持部に少なくとも１つの突起を設け、この突起を上記払拭体に係止させることによって該払拭体がホルダーに固定されている。
【発明の効果】
【０００７】
本発明によれば、重なり合う払拭体の間にサッシのレール部分を弾力的に挟持して擦ることにより、このレール部分を清掃することができ、また、上記複数の払拭体を相互に重合した状態でサッシの溝内に挿入して擦ることにより、この溝部分を清掃することができる。従ってこのように、上記複数の払拭体の重合面及び非重合面からなる払拭作業面を使い分けることにより、上記サッシのレール部分と溝部分とを簡単かつ効率良く清掃することができる。
【発明を実施するための最良の形態】
【０００８】
図１〜図４は本発明に係るサッシ用クリーナーの好ましい代表的な実施形態を示すもので、このクリーナーは、ハンドルを兼ねる払拭体ホルダー１と、このホルダー１に保持されて該ホルダー１から前方に向けて延出し、互いに重なり合いかつ弾力的に開閉自在の複数の払拭体２とで構成されている。
【０００９】
上記ホルダー１は、第１及び第２の一対のホルダー部片１０Ａ，１０Ｂによって形成されている。これらのホルダー部片１０Ａ，１０Ｂは、溝形断面を有する基端側の第１部分１０ａと、この第１部分１０ａの先端から延びる扁平な第２部分１０ｂとを有していて、上記第１部分１０ａ，１０ａ同士がその基端部においてヒンジ部１１により開閉自在なるように連結され、これらの第１部分１０ａ，１０ａによって手で握るための筒状に膨らんだハンドル部が形成されている。また、これらの両ホルダー部片１０Ａ，１０Ｂは、その長手方向両端部に形成した係止機構２０で閉じた状態にロックできるようになっている。これらのホルダー部片１０Ａ，１０Ｂは、上記ヒンジ部１１を含めて合成樹脂により一体に形成されている。
【００１０】
上記係止機構２０は、図３及び図４から分かるように、第１ホルダー部片１０Ａ側に形成した弾性係止片２１と、第２ホルダー部片１０Ｂ側に形成した係止孔２２とによって構成され、両ホルダー部片１０Ａ，１０Ｂを閉じたとき、上記弾性係止片２１がホルダー１の内側から上記係止孔２２内に弾力的に嵌合し、爪部２１ａが該係止孔２２の孔縁２２ａに係止して、両ホルダー部片１０Ａ，１０Ｂの不必要な開放が規制されるようになっている。
【００１１】
また、上記第２ホルダー部片１０Ｂにおける第２部分１０ｂの内側面には、他方の第１ホルダー部片１０Ａ側に向けて延出する軸棒状の１つ又は複数の突起１２が形成され、これに対して上記第１ホルダー部片１０Ａにおける第２部分１０ｂの内側面の上記突起１２と対応する位置には、この突起１２が嵌合する１つ又は複数の孔又は凹段部からなる嵌合部１３が形成されている。
【００１２】
上記払拭体２は、図３から分かるように、弾性変形可能な補強用心材１６の回りを柔軟な布部材１７で覆った構造を有していて、上記突起１２と対応する位置には、該突起１２が係止する係止孔１８を有し、これらの突起１２と係止孔１８とによって、該払拭体２をホルダー１に固定するための固定機構が形成されている。上記心材１６は、横に細長い合成樹脂製のプレートであり、また、上記布部材１７は、該心材１６より厚さの厚い不織布製のシートであって、２つに折り曲げた該布部材１７の間に上記心材１６を介在させている。この場合、これらの心材１６と布部材１７とは接着剤で相互に接着しても良いが、必ずしも接着する必要はない。
【００１３】
上記布部材１７を構成する不織布は、繊維をランダムに重合して相互に絡合させることにより形成されているが、その繊維中の少なくとも一部に繊維径が３０μｍ以下程度の極細繊維を含んでいることが好ましく、より好ましくは、繊維径が１〜９μｍの超極細繊維を少なくとも一部に含んでいることである。これにより、サッシに固着した微細な汚れであっても確実に落とすことができる。
【００１４】
上記払拭体２，２は、それらを互いに重合した状態でその基端部が上記ホルダ１の挟持部１ｂ，１ｂ間に挟持され、先端部は該挟持部１ｂ，１ｂから前方に延出している。このとき該払拭体２，２は、図１及び図２から分かるように、上記挟持部１ｂ，１ｂに挟持された基端部において布部材１７が圧縮されて薄肉化しており、これに対して先端部では、上記布部材１７が圧縮されないため、心材１６，１６がやや先広がりをなすように弾性変形した形となっている。そして、互いの重合面である内側面と非重合面である外側面及び先端面とが、それぞれ、サッシ５を清掃するための払拭作業面２ａ，２ｂ，２ｃとなっていて、相互間にサッシ５のレール６を弾力的に挟持可能であると共に、相互に重合した状態でサッシ５の溝７内に挿入可能な厚さを有している。
【００１５】
上記構成を有するクリーナーでサッシ５のレール６部分を清掃する場合には、図５に示すように、重なり合う払拭体２，２の間に上記レール６を弾力的に挟持し、擦ることにより、このレール６に付着した汚れ、特にレール６の上端部やその近くに付着した汚れを、各払拭体２，２の内側の作業面２ａ，２ａで清掃することができる。また、サッシ５の溝７部分を清掃する場合には、図６に示すように、上記払拭体２，２を相互に重合した状態のまま上記溝７内に挿入し、擦ることにより、この溝７部分、特に溝７底や溝側壁等に付着した汚れを、各払拭体２，２の両外側や先端の作業面２ｂ，２ｃで清掃することができる。このように、上記複数の払拭体２の重合面及び非重合面からなる払拭作業面２ａ，２ｂ，２ｃを使い分けることにより、上記サッシ５のレール６部分と溝７部分とを簡単かつ効率良く清掃することができる。
上記布部材１７に汚れが付着して清掃機能が低下したときは、上記ホルダー１における２つのホルダー部片１０Ａ，１０Ｂを開放し、払拭体２，２を取り外して洗浄したあと、再使用することができる。
【００１６】
なお、図示の実施例では、上記払拭体２とホルダー１とを相互に固定する固定機構として、ホルダー１に設けた軸棒状の突起１２を払拭体２の係止孔１８に挿通、係止させる形式のものが示されているが、このような突起１２と係止孔１８とに代えて、各ホルダー部片１０Ａ，１０Ｂにおける第２部分１０ｂの内側面にそれぞれ、先の尖った針状あるいは鋸歯状の複数の突起を形成し、この突起を払拭体２に食い込ませて係止させる形式のものであっても良い。
また、図示したクリーナーは２つの払拭体２を備えているが、この払拭体２の数は３つ以上であっても良い。
【００１７】
更に、上記実施例では、ホルダー１を直接手に持って清掃作業を行うように構成されているが、このホルダー１の上面の適宜位置に棒状の柄を固定的にあるいは着脱自在に取り付け、この柄を持って清掃作業を行うように構成しても良い。この場合に上記柄は、例えば、上記ホルダー１の長手方向斜め上方に向けて取り付けるのが望ましい。
【図面の簡単な説明】
【００１８】
【図１】本発明に係るサッシクリーナーの一実施形態を示す斜視図である。
【図２】図１の縦断面図である。
【図３】上記サッシクリーナーの分解図である。
【図４】ホルダーの開放状態の側面図である。
【図５】上記サッシクリーナーの使用状態の一例を示す断面図である。
【図６】上記サッシクリーナーの使用状態の他例を示す断面図である。
【符号の説明】
【００１９】
１      払拭体ホルダー
１ａ      ハンドル部
１ｂ      挟持部
２      払拭体
２ａ，２ｂ，２ｃ      作業面
５      サッシ
６      レール
７      溝
１０Ａ，Ｂ      ホルダー部片
１２      突起
１３      嵌合部
１６      心材
１７      布部材
【図１】
2005074111.tif 000003
【図２】
2005074111.tif 000004
【図３】
2005074111.tif 000005
【図４】
2005074111.tif 000006
【図５】
2005074111.tif 000007
【図６】
2005074111.tif 000008